(57)【要約】【課題】害虫防除成分を含有した空気を植物に付着している害虫に吹きつけし易い送風式害虫防除装置とする。【解決手段】容器取付部１ａと握り部１ｂと送風ガイド部１ｃを備えた装置本体１と、容器２０に送風機２１と薬剤担持体２２を設けて吐出口２３から害虫防除成分を気中に放散する送風式害虫防除器２を有し、この容器２０を容器取付部１ａに、その吐出口２３が送風ガイド部１ｃと対向して取付け、人が握り部１ｂを手で持って送風ガイド部１ｃの流出口１ｄを植物の害虫と対向させることで、害虫防除成分を含有した空気を前述の害虫に吹きつけてできるようにする。【選択図】図３
2008092841.tif 000002
【特許請求の範囲】
【請求項１】
容器取付部１ａと握り部１ｂと送風ガイド部１ｃを備えた装置本体１と、
容器２０内に送風機２１と薬剤担持体２２を設け、その送風機２１を駆動することで薬剤担持体２２に空気が触れて害虫防除成分を含有した空気とし、その空気を吐出口２３から放出する送風式害虫防除器２を有し、
この容器２０が容器取付部１ａに、その吐出口２３が送風ガイド部１ｃと対向して取付けたことを特徴とする送風式害虫防除装置。
【請求項２】
装置本体１の容器取付部１ａに、送風式害虫防除器２の容器２０を着脱自在に取付けた請求項１記載の送風式害虫防除装置。
【請求項３】
装置本体１の容器取付部１ａを、その容器取付部１ａと容器２０の外周面との間に環状の空間１７を形成し、その空間１７を放出口１８ａで送風ガイド部１ｃに連通したものとし、
前記容器２０の外周面に複数の吐出口２３を形成した請求項２記載の送風式害虫防除装置。
【請求項４】
装置本体１の容器取付部１ａと送風ガイド部１ｃを別体とし、その容器取付部１ａと送風ガイド部１ｃを長手方向に移動自在に連結した請求項１又は２又は３記載の送風式害虫防除装置。
【発明の詳細な説明】
【技術分野】
【０００１】
本発明は、害虫防除成分を担持した薬剤担持体と送風機を備え、その送風機を駆動することで害虫防除成分を含有した空気を気中に放散するようにした送風式害虫防除装置に関する。
【背景技術】
【０００２】
特許文献１，２，３には、容器内に、害虫防除成分を担持した薬剤担持体と送風機を設け、その送風機を駆動することで空気を薬剤担持体に接触させて害虫防除成分を含有した空気を気中に放散する送風式害虫防除器が開示されている。
【０００３】
【特許文献１】特開２００１−２４７４１６号公報
【特許文献２】特開平１１−１６９０５１号公報
【特許文献３】特開２００４−２４１６１号公報
【発明の開示】
【発明が解決しようとする課題】
【０００４】
前述した従来の送風式害虫防除器は、主として、蚊などの飛翔害虫を防除するために、室内に置いて使用したり、人の腰、手などに保持して使用している。
このために、従来の送風式害虫防除器の容器は、安定した姿勢でテーブルなどに置ける形状、又は吊り下げ用フック、巻きつけて保持するバンドを有する形状としてあり、その送風式害虫防除器の容器を人が手で持って使用することがやりづらい。
また、従来の送風式害虫防除器は、害虫防除成分を含有した空気を、容器の周囲に放散するようにしている。
【０００５】
一方、植物に付着している害虫を防除するには、エアゾール容器の内容物を害虫に向けて噴出することが行われている。
しかし、エアゾール容器は内容物を微粒子として高速で噴出するので、植物に付着している害虫の近くから噴出すると、その内容物によって害虫が吹き飛ばされてしまうから、植物に付着している害虫から離れた位置から内容物を害虫に向けて噴出して害虫が内容物で吹き飛ばされないようにしているので、噴出した内容物の一部分のみが害虫に吹きつけられ、残りの大部分は周囲に飛散するから、害虫防除の効率が悪い。
しかも、前述のように微粒子として噴出した内容物の大部分は周囲に飛散するから、人体など周囲環境へ影響を考慮して十分注意深く作業しなければならない。
【０００６】
前述した送風式害虫防除器は、気中に放散される空気に含有されている害虫防除成分の粒子は、前述したエアゾール容器の噴出された内容物の粒子よりも微細である。つまり、害虫防除成分は微細粒子として気中に放散される。
このために、送風式害虫防除器によって気中に放散された害虫防除成分は気中（大気中）に浮遊し希釈されるので、人体など周囲環境への影響が少ない。
したがって、この送風式害虫防除器を用いて植物の害虫防除を行えば、人体など周囲環境への影響を考慮せずに作業できるので、好ましい。
【０００７】
しかしながら、従来の送風式害虫防除器は、その容器が前述したように人が手で持って使用しづらい形状であると共に、害虫防除成分を含有した空気を容器の周囲に放散するので、人が手で持って植物に付着している害虫に前述の空気を吹きつけて害虫防除するには適さないものである。
特に、複数の植物が生育している場合に、１つの植物に付着している害虫に前述の空気を吹きつけようとした時に、隣り合った他の植物の葉などが邪魔になることがあるので、前述の空気を効率よく吹きつけできない。
【０００８】
本発明の目的は、植物に付着している害虫を防除するのに好ましい送風式害虫防除装置を提供することを目的とする。
【課題を解決するための手段】
【０００９】
第１の発明は、容器取付部１ａと握り部１ｂと送風ガイド部１ｃを備えた装置本体１と、
容器２０内に送風機２１と薬剤担持体２２を設け、その送風機２１を駆動することで薬剤担持体２２に空気が触れて害虫防除成分を含有した空気とし、その空気を吐出口２３から放出する送風式害虫防除器２を有し、
この容器２０が容器取付部１ａに、その吐出口２３が送風ガイド部１ｃと対向して取付けたことを特徴とする送風式害虫防除装置である。
【００１０】
第２の発明は、第１の発明において、装置本体１の容器取付部１ａに、送風式害虫防除器２の容器２０を着脱自在に取付けた送風式害虫防除装置である。
【００１１】
第３の発明は、第２の発明において、装置本体１の容器取付部１ａを、その容器取付部１ａと容器２０の外周面との間に環状の空間１７を形成し、その空間１７を放出口１８ａで送風ガイド部１ｃに連通したものとし、
前記容器２０の外周面に複数の吐出口２３を形成した送風式害虫防除装置である。
【００１２】
第４の発明は、第１又は第２又は第３の発明において、装置本体１の容器取付部１ａと送風ガイド部１ｃを別体とし、その容器取付部１ａと送風ガイド部１ｃを長手方向に移動自在に連結した送風式害虫防除装置である。
【発明の効果】
【００１３】
請求項１に係る発明によれば、人が握り部１ｂを持って装置全体を簡単に取り扱いできるし、容器２０の吐出口２３から害虫防除成分を含有した空気を送風ガイド部１ｃの流出口１ｄから気中に放散できる。
したがって、人が握り部１ｂを持って送風ガイド部１ｃを植物に付着している害虫に対峙させることで、害虫防除成分を含有した空気を、前述の害虫に向けて吹きつけることができるので、植物に付着している害虫を防除するのに好ましい送風式害虫防除装置である。
【００１４】
請求項２に係る発明によれば、装置本体１から容器２０を取り外し、その容器２０をテーブル等の横向き面に置いて使用できるから、送風式害虫防除器２を単独で使用することができる。
【００１５】
請求項３に係る発明によれば、送風式害虫防除器２を単独で使用する際に、その容器２０の周囲に害虫防除成分を含有した空気を放散できる。
また、送風式害虫防除器２を装置本体１の容器取付部１ａに取付けて使用する時には、容器２０の複数の吐出口２３からそれぞれ吐出した害虫防除成分を含有した空気は、環状の空間１７をそれぞれ流れて放出口１８ａから送風ガイド部１ｃにそれぞれ流れるので、その害虫防除成分を含有した空気を送風ガイド部１ｃの流出口１ｄから気中に放散できる。
【００１６】
請求項４に係る発明によれば、容器取付部１ａと送風ガイド部１ｃとの間の距離を調節できるので、送風ガイド部１ｃの流出口１ｄの長手方向の長さを長くしたり、短くできる。
【発明を実施するための最良の形態】
【００１７】
本発明の第１の実施の形態を図１〜図５に基づいて説明する。
装置本体１と送風式害虫防除器２で送風式害虫防除装置としてある。
前記装置本体１は容器取付部１ａと握り部１ｂと送風ガイド部１ｃを備えている。
前記送風式害虫防除器２は容器２０内に送風機２１と薬剤担持体２２を設け、その送風機２１を駆動することで薬剤担持体２２に空気が触れて害虫防除成分を含有した空気とし、その空気を吐出口２３から放出するものである。
前記容器２０が容器取付部１ａに取付けられ、その吐出口２３が送風ガイド部１ｃと対向するようにしてある。
前記送風ガイド部１ｃは吐出口２３から放出された空気がスムーズに流れるようにガイドし、流出口１ｄから気中に放出、好ましくは一方向に向けて放出するものである。
【００１８】
このようであるから、人が握り部１ｂを持って装置全体を簡単に取り扱いできる。
また、害虫防除成分を含有した空気を送風ガイド部１ｃの流出口１ｄから放散される。好ましくは、一方向に向けて放散される。
したがって、人が握り部１ｂを持って送風ガイド部１ｃの流出口１ｄを植物に付着している害虫に対峙させることで、害虫防除成分を含有した空気を、前述の害虫に向けて吹きつけることができるので、植物に付着している害虫を防除するのに好ましい送風式害虫防除装置である。
【００１９】
例えば、図６に示すように複数の植物３における１つの植物３に付着している害虫４に空気を吹きつける際には、握り部１ｂを人が手で持って、隣り合う２つの植物３の間に差し入れることで送風ガイド部１ｃの流出口１ｄを害虫４と対峙させることで空気を害虫４に吹きつけできる。
しかも、隣り合う他の植物３の葉３ａなどを送風ガイド部１ｃで押しのけて流出口１ｄを植物３に付着している害虫４と対峙させることができ、その害虫４に葉などが邪魔にならずに空気を効率良く吹きつけできる。
【００２０】
次に、各部の具体形状を説明する。
前記装置本体１の容器取付部１ａと送風ガイド部１ｃは別体で、その両者は相対的に移動可能に連結してある。
例えば送風ガイド部１ｃは、上面板１０と一対の側面板１１で断面ほぼコ字形状で、その両側面板１１にガイド片１１ａを設けた直線部分１２と、この直線部分１２と連続したガイド部分１３を有し、そのガイド部分１３は上面板１４と一対の側面板１５で断面ほぼコ字形状で、その上面板１４、側面板１５は前記直線部分１２の上面板１０、側面板１１と連続し、かつ上面板１４は円弧形状である。
前記容器取付部１ａは箱形状で、前記直線部分１２に長手方向にスライド自在に嵌合して取付けてある。
この容器取付部１ａの底面板１６に容器挿入用の開口部１６ａが形成され、この開口部１６ａから容器２０を挿入して容器取付部１ａに取付けられ、容器２０の外周面と容器取付部１ａの内周面との間に環状の空間１７を形成する。
前記容器取付部１ａの前面板１８には放出口１８ａが前記空間１７を経て吐出口２３と連通して形成してある。
前記容器取付部１ａの後面板１９に握り部１ｂ、例えば丸棒が連結してある。
前記上面板１０，１４と両側面板１１，１５と容器２０の前面板１８で送風ガイド部１ｃの流出口１ｄを形成している。
【００２１】
このようであるから、握り部１ｂを手で持った状態で送風ガイド部１ｃを容器取付部１ａに対して長手方向に移動することができる。
これによって、容器取付部１ａ（つまり、送風式害虫防除器２）と送風ガイド部１ｃのガイド部分１３との間の距離を、図３に実線、仮想線で示すように調節できる。
したがって、送風ガイド部１ｃの流出口１ｄの長手方向の長さを長くしたり、短くすることで、害虫防除成分を含有した空気の吹きつけ領域の大きさを調整できる。
【００２２】
例えば、図３に実線で示すように容器取付部１ａとガイド部分１３との間の距離を短くすれば、送風ガイド部１ｃの流出口１ｄの長手方向の長さが短くなり、前述の空気を吹きつける領域が小さい。
図３に仮想線で示すように容器取付部１ａとガイド部分１３との間の距離を長くすれば、送風ガイド部１ｃの流出口１ｄの長手方向の長さとが長くなり、前述の空気を吹きつける領域が大きい。
【００２３】
前記送風式害虫防除器２の容器２０は、送風機収容室２０ａ、薬剤収容室２０ｂ、電池収容室２０ｃを有し、その送風機収容室２０ａに送風機２１、薬剤収容室２０ｂに薬剤担持体２２、電池収容室２０ｃに電池（図示せず）が収容してある。
前記薬剤収容室２０ｂはカバー２４で開閉自在で、そのカバー２４に吸込口２５が形成されている。
前記電池収容室２０ｃは蓋２６で開閉自在である。
【００２４】
前記容器２０は開口部１６ａから容器取付部１ａ内に挿入、抜き出し自在であるから、送風式害虫防除器２を容器取付部１ａに取付けしたり、外したりすることができる。
従って、送風式害虫防除器２を単独で使用することができる。
例えば、図７に示すように、容器２０をテーブル等の横向き面５上に、電池収容室２０ｃが下で吸込口２５を上向きとなるように置いて使用することができる。
【００２５】
この実施の形態では、容器２０の周方向に間隔を置いて複数の吐出口２３が形成されているので、容器２０の周囲に放散することができる。
しかも、容器取付部１ａの内周面と容器２０の外周面との間には図４に示すように環状の空間１７が形成されるようにしてあるので、その複数の吐出口２３から吐出した空気が空間１７に吐出し、その空間１７を流通して放出口１８ａからガイド部分１３に向けて放出されるので、複数の吐出口２３から吐出した空気を無駄なくガイド部分１３を流通して植物に付着している害虫に吹きつけることができる。
【００２６】
この実施の形態では、容器２０の底面に図３、図５に示すように、バンド取付部、例えばバンド挿通穴２７が形成してあるので、前述のように容器２０を容器取付部１ａから取り外して単独で使用する際に、図７に仮想線で示すようにバンド２８を取付け、そのバンド２８を使用者の腰や手に巻きつけて使用することができる。
図５に示すように、蓋２６は矢印方向にスライドして外すことができる。
【００２７】
この実施の形態では、容器２０が容器取付部１ａに挿入してあるから、その容器２０が抜け落ちる恐れがあるので、図２、図３に示すように容器取付部１ａにロックプレート２９を、ピン２９ａを中心として回転することでカバー２４に接して抜け止めする状態と、カバー２４と離れる状態となるように取付けてある。
前述のように容器２０が抜け落ちないようにするには、前述のロックプレート２９に限ることはなく、ビスなどで容器２０を容器取付部１ａに固定したり、容器２０自体を容器取付部１ａに螺合して取付けしたりしても良い。
【００２８】
前述の実施の形態では、容器取付部１ａの開口部１６ａに容器２０が挿入、抜き出し自在として容器２０を容器取付部１ａに着脱自在に取付けしたが、容器２０を容器取付部１ａに固着して取付けても良い。
【００２９】
前述の実施の形態では、装置本体１の容器取付部１ａと送風ガイド部１ｃを別体としたが、後述するように一体としても良い。
また、送風式害虫防除器２の容器２０を装置本体１の容器取付部１ａに下から取付けしたが、後述するように上から取付けるようにしても良い。
また、容器２０の下面（カバー２４）に吸込口２５を形成して下から空気を吸い込みしたが、後述するように容器２０の上面に吸込口２５を形成して上から空気を吸い込みするようにしても良い。
また、送風ガイド部１ｃを長手方向に亘って同一幅としたが、先端部分の幅が基端部分の幅よりも小さい先細形状、先端部分の幅が基端部分の幅よりも大きなラッパ形状などでも良い。
【００３０】
次に、本発明の第２の実施の形態を図８〜図１０に基づいて説明する。
この実施の形態は、装置本体１の容器取付部１ａと送風ガイド部１ｃが一体である点、容器２０の上面から空気を吸い込むようにした点が前述の実施の形態と相違し、他の構成は同様である。
前記装置本体１は、上面板３０と一対の側面板３１で断面ほぼコ字形状で、その上面板３０の長手方向中間部分に孔３２を形成して容器取付部１ａとし、前記上面板３０の長手方向一端寄り部分の幅を小さくして握り部１ｂとし、前記上面板３０の長手方向他端寄り部分を円弧形状に湾曲して送風ガイド部１ｃとしてある。
【００３１】
容器２０の上部にカバー２４を設けて吸込口２５を上面に開口し、電池収容室２０ｃを下部に形成する。
そして、容器２０を容器取付部１ａの下から孔３２に挿入してカバー２４を孔３２よりも上方に突出し、押えプレート３３を一対の側面板３１間に跨って取付けることで、容器２０を前記上面板３０の孔３２の周縁に押しつけて取付ける。
具体的には、上面板３０の孔３２を上部大径孔と下部小径孔を有する段付き孔とし、その段差部に容器２０の送風機収容室２０ａ部分の上面を押しつける。
前記押えプレート３３は横板３３ａに一対の縦片３３ｂを設けた形状とし、その横板３３ａに穴３４を形成する。
そして、前記一対の縦片３３ｂを一対の側面板３１に嵌め込むようにして取付け、その穴３４に容器２０の電池収容室２０ｃ部分を挿通し、横板３３ａを、送風機収容室２０ａ部分の下面に押しつける。
【００３２】
この実施の形態では、容器２０に吐出口２３を１つ形成し、その１つの吐出口２３を送風ガイド部１ｃに向けて開口して取付けることで、その吐出口２３から空気を送風ガイド部１ｃに直接放出するようにしてある。
なお、前述の実施の形態と同様に、環状の空間１７を形成して吐出口２３を複数有するものとしても良い。
例えば、上面板３０における孔３２の周縁に筒体を設け、この筒体と容器２０の外周面との間に前述の環状の空間１７を形成し、その筒体に放出口を送風ガイド部１ｃに向けて形成する。
【００３３】
次に、本発明の第３の実施の形態を図１１と図１２に基づいて説明する。
この実施の形態は、容器取付部１ａと送風ガイド部１ｃが一体である点、容器２０を上面から取付ける点が前述の第１の実施の形態と相違し、他の構成は同様である。
前記装置本体１は、上面板４０と底面板４１と一対の側面板４２でほぼ矩形状の容器取付部１ａを備えている。
この容器取付部１ａの上面板４０、底面板４１、側面板４２に亘って中間仕切板４３と一端面板４４が設けられて電池収容室４５が形成してあると共に、上面板４０の容器取付部分には取付孔４６が形成され、底面板４１の容器取付部分にはリング形状の容器支持突起４７が形成してある。
前記底面板４１の電池収容室４５部分は開口し、蓋４１ａが着脱自在に取付けてある。
【００３４】
前記上面板４０と連続した円弧状の先端上面板４８と、前記一対の側面板４２と連続した一対の先端側面板４９で送風ガイド部１ｃを形成している。
前記一端面板４４に丸棒を取付けて握り部１ｂとしてある。
【００３５】
送風式害虫防除器２の容器２０は、取付用孔４６から挿入して容器支持突起４７に嵌合して取付けられる。
前記上面板４０の取付用孔４６の周縁にロックプレート２９がピン２９ａで前述と同様に取付けてある。
【００３６】
この実施の形態では装置本体１に電池収容室４５を形成したが、容器２０に電池収容室を形成しても良い。
例えば、図１３に示すように容器２０の底面に電池収容室２０ｃを形成する突部２０ｄを形成し、底面板４１にはその突部２０ｄが挿通する穴４１ｂを形成する。
【００３７】
前述した図１１、図１２と図１３に示す実施の形態においても前述と同様にして環状の空間１７を形成し、容器２０に吐出口２３を複数形成するようにできる。
【図面の簡単な説明】
【００３８】
【図１】本発明の第１の実施の形態を示す平面図である。
【図２】本発明の第１の実施の形態を示す底面図である。
【図３】図１のＡ−Ａ断面図である。
【図４】図３のＢ−Ｂ断面図である。
【図５】容器の平面図である。
【図６】使用状態の説明図である。
【図７】単独で使用する状態の説明図である。
【図８】本発明の第２の実施の形態を示す平面図である。
【図９】本発明の第２の実施の形態を示す底面図である。
【図１０】図８のＣ−Ｃ断面図である。
【図１１】本発明の第３の実施の形態を示す断面図である。
【図１２】本発明の第３の実施の形態を示す底面図である。
【図１３】本発明の第４の実施の形態を示す断面図である。
【符号の説明】
【００３９】
１…装置本体、１ａ…容器取付部、１ｂ…握り部、１ｃ…送風ガイド部、２…送風式害虫防除器、１７…環状の空間、１８ａ…放出口、２０…容器、２１…送風機、２２…薬剤担持体、２３…吐出口。
【図１】
2008092841.tif 000003
【図２】
2008092841.tif 000004
【図３】
2008092841.tif 000005
【図４】
2008092841.tif 000006
【図５】
2008092841.tif 000007
【図６】
2008092841.tif 000008
【図７】
2008092841.tif 000009
【図８】
2008092841.tif 000010
【図９】
2008092841.tif 000011
【図１０】
2008092841.tif 000012
【図１１】
2008092841.tif 000013
【図１２】
2008092841.tif 000014
【図１３】
2008092841.tif 000015